(57)【要約】【課題】固定電話機と携帯電話機との連携を円滑且つ双方向に行うことが可能な電話交換システムを提供する。【解決手段】固定電話網４０に直接接続される固定電話機２０又は構内交換機８０を介して接続される内線である多機能電話機３０に携帯電話機５１、５２を電気的に接続可能にし、それぞれ携帯電話接続検出部２２、３２により携帯電話機５１、５２の接続又は非接続を検出する。その検出結果に応じて、固定電話網４０又は携帯電話網６０の着信転送サービス部４１、６１により転送又は非転送を双方向に適切に行う。【選択図】　　　図１
2004032356.tif 000002
【特許請求の範囲】
【請求項１】
着信転送サービス部を備える固定電話網に接続され、他の固定電話機または携帯電話機と通話する固定電話機を有する電話交換システムにおいて、
前記固定電話機は、該固定電話機に携帯電話機が接続されているか否かを検出する携帯電話接続検出部を備え、前記携帯電話機の接続時には該携帯電話機への着信を前記固定電話機へ転送し、非接続時には前記固定電話機への着信を前記携帯電話機へ転送することを特徴とする電話交換システム。
【請求項２】
前記固定電話機用および携帯電話機用の転送先番号等を記憶する転送設定記憶部を有するメモリを設け、予め規定の番号等を設定することを特徴とする請求項１に記載の電話交換システム。
【請求項３】
前記固定電話機は、前記固定電話網に直接接続される固定電話機であり、前記携帯電話接続検出部および前記メモリを前記固定電話機内に設けることを特徴とする請求項２に記載の電話交換システム。
【請求項４】
前記固定電話機は、構内交換機を介して前記固定電話網に接続される多機能電話機であり、前記携帯電話接続検出部および前記メモリは、それぞれ前記多機能電話機および前記構内交換機に設けられることを特徴とする請求項２に記載の電話交換システム。
【請求項５】
固定電話機に接続される固定電話網および携帯電話機にサービスを提供する無線基地局に接続される携帯電話網がそれぞれ着信転送サービスを行う着信転送サービス部を有する通信ネットワークの電話交換システムにおいて、
前記固定電話機は、携帯電話機の接続又は非接続状態を検出し、制御用のＣＰＵに通知する携帯電話接続検出部と、前記携帯電話機の接続又は非接続の通知を受けた前記ＣＰＵにより制御され転送先を読み出す転送設定記憶部を含むメモリとを備え、前記携帯電話接続検出部の検出結果に応じて前記固定電話機および前記携帯電話機への着信の転送を決定することを特徴とする電話交換システム。
【請求項６】
前記固定電話機が構内交換機に接続された内線電話である場合には、前記メモリを前記構内交換機に設けることを特徴とする請求項５に記載の電話交換システム。
【請求項７】
前記携帯電話接続検出部が前記携帯電話機の接続検出時には、前記固定電話網の着信転送サービスを停止する特番ダイヤル操作と前記携帯電話網の着信転送サービスを開始する特番ダイヤル操作を行い、前記固定電話機への着信は該固定電話機へそのまま着信させ、前記携帯電話機への着信は前記携帯電話網の着信転送サービスを利用して前記固定電話機へ着信転送させ、前記携帯電話機の非接続検出時には、前記固定電話網の着信転送サービスを開始する特番ダイヤル操作と前記携帯電話網の着信転送サービスを停止する特番ダイヤル操作を行い、前記固定電話機への着信を前記固定電話網の着信転送サービスを利用して前記携帯電話機へ着信転送させ、前記携帯電話機への着信は該携帯電話機へそのまま着信させることを特徴とする請求項５又は６に記載の電話交換システム。
【発明の詳細な説明】
【０００１】
【発明の属する技術分野】
本発明は電話交換システムに関し、特に携帯電話機との相互着信転送を自動的に行う電話交換システムに関する。
【０００２】
【従来の技術】
現在の電話機（又は電話端末）は、一般的な固定電話機および携帯（又は移動）電話機が広く普及している。固定電話機および携帯電話機は、それぞれ長所および短所を有するので、利用者は状況に応じて適宜使い分けされている。即ち、固定電話機は、一般に利用料金が（特に市内電話の場合等）安価であり、有線であるのでサービスエリアを考慮する必要がなく且つ音質が優れている。一方、携帯電話機の場合には、利用場所が制限されず、サービスエリア内（圏内）であれば市内又は市外に関係なく一定料金で通話可能であり、しかも移動しながらでも通話可能である。そこで、例えば外出時には携帯電話機を使用し、自宅又はオフィスに戻ると固定電話機を使用している。また、携帯電話機の利点を活用するため、固定電話機および携帯電話機間で着信を相互に転送して使用する技術が開発されている。
【０００３】
従来の携帯電話機への着信を固定電話機へ転送する技術は、特開２００１−１９７２２４号公報の「携帯電話機の固定電話機への接続システム、方法及び携帯電話機から固定電話機への接続時の課金システム」（第１従来技術）および特開平９−５１５７９号公報の「無線通信システム」（第２従来技術）に開示されている。また、関連技術は、特開２０００−３５８２８０号公報の「ＰＨＳにおける圏外移動時の自動転送システムおよび方法」、特開平３−１９１６９４号公報の「構内交換機」、特開平５−３４４２２４号公報の「構内電話交換システムの着信転送電話番号自動登録方式」、特開平９−１８５８４号公報の「構内電話システム」、特開平９−２３２７１号公報の「構内電話システム」、特開平９−２３２７２号公報の「構内電話システム」、特開平９−１６３４３３号公報の「構内交換機における着信転送方式」、特開平１０−２３１６８号公報の「構内電話システム」、特開平１０−２３４８４号公報の「構内電話システム」および特開平１０−７５３０１号公報の「構内電話システム」等に開示されている。
【０００４】
先ず、上述した第１従来技術に開示された技術を説明する。この公報によると、携帯電話への着信時に固定電話に転送するか否かの判断は、先ず携帯電話への一斉呼び出しに携帯電話が応答したか否か、即ち、圏外か否かで行う。次に、圏外の場合には、転送先の電話番号が登録されているか否かで行っている。次に、上述した第２従来技術に開示された技術を説明する。この公報によると、充電台に携帯電話機を置いたとき、携帯電話の無線を使って携帯電話網に対して着信転送の開始を指示し、充電台から離されたときに転送停止を指示している。
【０００５】
しかし、これらの従来方式は、次の如き課題を有する。先ず、上述した第１従来技術によると、携帯電話と固定電話の接続の有無に拘らず圏外の場合に転送が行われる。従って、携帯電話が固定電話に接続されていない場合でも、携帯電話への着信が固定電話に転送されてしまうという欠点がある。そこで、転送先の固定電話の電話番号を一定時間経過後に消去して、無駄な転送を回避しようとしているが、利用者の居場所を認識するには不十分である。一方、第２従来技術では、携帯電話が圏外の場合に、転送設定ができない。また、充電台は固定電話機の近傍にあることを前提にしており、固定電話とは連動していないので、充電台を旅先等へ持ち出した場合でも充電時に誤って固定電話への転送開始が設定されてしまうという欠点がある。
【０００６】
また、上述した両方の従来技術とも、携帯電話から固定電話への転送のみであり、外出中の固定電話への着信に対しては何も対処されていないという欠点がある。
【０００７】
【発明の目的】
本発明は、従来技術の上述した課題に鑑みなされたものであり、携帯電話機と固定電話機の連携を確実にした双方向の相互着信自動転送機能を有する電話交換システムを提供することを目的とする。
【０００８】
【課題を解決するための手段】
前述の課題を解決するため、本発明による電話交換システムは次のような特徴的な構成を採用している。
【０００９】
（１）着信転送サービス部を備える固定電話網に接続され、他の固定電話機または携帯電話機と通話する固定電話機を有する電話交換システムにおいて、
前記固定電話機は、該固定電話機に携帯電話機が接続されているか否かを検出する携帯電話接続検出部を備え、前記携帯電話機の接続時には該携帯電話機への着信を前記固定電話機へ転送し、非接続時には前記固定電話機への着信を前記携帯電話機へ転送する電話交換システム。
【００１０】
（２）前記固定電話機用および携帯電話機用の転送先番号等を記憶する転送設定記憶部を有するメモリを設け、予め規定の番号等を設定する上記（１）の電話交換システム。
【００１１】
（３）前記固定電話機は、前記固定電話網に直接接続される固定電話機であり、前記携帯電話接続検出部および前記メモリを前記固定電話機内に設ける上記（２）の電話交換システム。
【００１２】
（４）前記固定電話機は、構内交換機を介して前記固定電話網に接続される多機能電話機であり、前記携帯電話接続検出部および前記メモリは、それぞれ前記多機能電話機および前記構内交換機に設けられる上記（２）の電話交換システム。
【００１３】
（５）固定電話機に接続される固定電話網および携帯電話機にサービスを提供する無線基地局に接続される携帯電話網がそれぞれ着信転送サービスを行う着信転送サービス部を有する通信ネットワークの電話交換システムにおいて、
前記固定電話機は、携帯電話機の接続又は非接続状態を検出し、制御用のＣＰＵに通知する携帯電話接続検出部と、前記携帯電話機の接続又は非接続の通知を受けた前記ＣＰＵにより制御され転送先を読み出す転送設定記憶部を含むメモリとを備え、前記携帯電話接続検出部の検出結果に応じて前記固定電話機および前記携帯電話機への着信の転送を決定する電話交換システム。
【００１４】
（６）前記固定電話機が構内交換機に接続された内線電話である場合には、前記メモリを前記構内交換機に設ける上記（５）の電話交換システム。
【００１５】
（７）前記携帯電話接続検出部が前記携帯電話機の接続検出時には、前記固定電話網の着信転送サービスを停止する特番ダイヤル操作と前記携帯電話網の着信転送サービスを開始する特番ダイヤル操作を行い、前記固定電話機への着信は該固定電話機へそのまま着信させ、前記携帯電話機への着信は前記携帯電話網の着信転送サービスを利用して前記固定電話機へ着信転送させ、前記携帯電話機の非接続検出時には、前記固定電話網の着信転送サービスを開始する特番ダイヤル操作と前記携帯電話網の着信転送サービスを停止する特番ダイヤル操作を行い、前記固定電話機への着信を前記固定電話網の着信転送サービスを利用して前記携帯電話機へ着信転送させ、前記携帯電話機への着信は該携帯電話機へそのまま着信させる上記（５）又は（６）の電話交換システム。
【００１６】
【発明の実施の形態】
以下、本発明による電話交換システムの好適実施形態の構成および動作を、添付図面を参照して詳細に説明する。
【００１７】
先ず、図１は、本発明における電話交換システムの第１実施形態の構成を示すブロック図である。図１に示す電話交換システム１０は、固定電話機２０、固定電話網４０および携帯電話機５１により構成される。固定電話機２０は、ＣＰＵ（中央処理装置）２１、携帯電話接続検出部２２、回線インタフェース部２３およびメモリ２４を含んでいる。また、メモリ２４は、転送設定記憶部２４ａを有する。
【００１８】
固定電話機２０の各構成要素２１〜２４の主要機能を説明する。ＣＰＵ２１は、固定電話機２０の全体の制御を行う。携帯電話接続検出部２２は、携帯電話機５１の接続および接続解除（切り離し）を検出し、ＣＰＵ２１に通知する。メモリ２４が含んでいる転送設定記憶部２４ａは、固定電話網４０および携帯電話網の着信転送サービスの開始および停止時に送出するダイヤル情報を記憶する。回線インタフェース部２３は、発呼時にＣＰＵ２１の指示により、回線捕捉、ダイヤル送出および回線切断を行い、着信時に着信検出し、ＣＰＵ２１に通知し、ＣＰＵ２１の指示により応答および回線切断を行う。
【００１９】
ＣＰＵ２１は、携帯電話接続検出部２２からの、携帯電話機５１の接続および非接続（接続解除又は切り離し）情報に応じて、転送設定記憶部２４ａから固定電話網４０および携帯電話網の着信転送サービスの開始および停止時に送出するダイヤル情報を読み出し、回線インタフェース部２３にダイヤル送出指示を行う。これにより、固定電話網４０および携帯電話網の着信転送サービスの開始および停止を行う。
【００２０】
上述の如く、本発明の電話交換システム１０では、携帯電話機５１の接続又は非接続に応じて、固定電話網４０および携帯電話網の着信転送サービスの開始および停止を行っている。従って、携帯電話機５１の利用者が固定電話機２０の設置場所に居るとき、例えばその場所が携帯電話機５１のサービスエリア外（圏外）であっても、携帯電話機５１への着信は、携帯電話網の着信転送サービスにより自動的に固定電話機２０に転送される。
【００２１】
また、携帯電話機５１の利用者が、（携帯電話機５１を持って）固定電話機２０の設置場所を離れたときは、この携帯電話機５１への着信は、そのまま携帯電話機５１へ着信されると共に、固定電話機２０への着信も固定電話網４０の着信転送サービスにより自動的に携帯電話機５１へ転送される。そのため、固定電話機２０および携帯電話機５１の両方の着信を確実に受信可能である。
【００２２】
次に、図２は、図１中の固定電話機２０を構成するメモリ２４の転送設定記憶部２４ａの具体的構成例である。この転送設定記憶部２４ａは、固定電話用転送開始電番記憶部２４１、固定電話用転送開始特番記憶部２４２、固定電話用転送停止電番記憶部２４３、固定電話用転送停止特番記憶部２４４、携帯電話用転送開始電番記憶部２４５、携帯電話用転送開始特番記憶部２４６、携帯電話用転送停止電番記憶部２４７および携帯電話用転送停止特番記憶部２４８を含んでいる。
【００２３】
固定電話用転送開始電番記憶部２４１は、固定電話機２０への着信を他の電話へ転送するサービスの開始を固定電話網４０に指示するための電話番号（例えば「１４２０」）である。固定電話用転送開始特番記憶部２４２は、上述した電話番号ダイヤル後に固定電話網４０が応答したとき、追加ダイヤルする番号（例えば「なし」）を記憶する。固定電話用転送停止電番記憶部２４３は、固定電話機２０への着信を他の番号へ転送するサービスの停止を固定電話網４０に指示するための電話番号（例えば「１４２１１」）である。また、固定電話用転送停止特番記憶部２４４は、上述した電話番号ダイヤル後に固定電話網４０が応答したとき、追加ダイヤルする番号（例えば「なし」）を記憶する。
【００２４】
一方、携帯電話用転送開始電番記憶部２４５は、携帯電話機５１への着信を他の電話機へ転送するサービスの開始を携帯電話網に指示するための電話番号（例えば「０９０３１０」）を記憶する。携帯電話用転送開始特番記憶部２４６は、上述した電話番号ダイヤル後に携帯電話網が応答したとき、追加ダイヤルする番号（例えば「１４２１Ｐ０９０１１１１２２２２Ｐ４３２１」）を記憶する。携帯電話用転送停止電番記憶部２４７は、携帯電話機５１への着信を他の電話機へ転送するサービスの停止を携帯電話網に指示するための電話番号（例えば「０９０３１０」）を記憶する。また、携帯電話用転送停止特番記憶部２４８は、上述した電話番号ダイヤル後に携帯電話網が応答したとき、追加ダイヤルする番号（例えば「１４２０Ｐ０９０１１１２２２Ｐ４３２１」）を記憶する。尚、これら記憶部２４１〜２４８には、利用者が契約している固定電話事業者および携帯電話事業者の番号計画に合わせた値を記憶するものとする。
【００２５】
次に、図３は、図１および図２を参照して上述した電話交換システム１０を採用する通信ネットワーク１１の構成図である。この通信ネットワーク１１において、図１に示す構成要素に対応する構成要素には、説明の便宜上同様の参照符号を使用する。
【００２６】
図３の通信ネットワーク１１は、固定電話網４０、この固定電話網４０に接続された固定電話機２０、携帯電話網６０および構内交換機（ＰＢＸ）８０を有する。構内交換機８０には、その内線電話機である多機能電話機（固定電話機の一種であるが、上述した固定電話機２０と区別するために多機能電話機という）３０が接続されている。また、これら固定電話機２０および多機能電話機３０には、それぞれ携帯電話機５１、５２が接続可能である。一方、携帯電話網６０には、それぞれサービスエリア７０ａ、７０ｂを有する携帯電話用の無線基地局７１、７２が接続されている。これら無線基地局７１、７２は、それぞれのサービスエリア７０ａ、７０ｂ内の携帯電話機５３、５４に通信サービスを提供する。また、固定電話網４０および携帯電話網６０は、それぞれ着信転送サービス部４１、６１を含み、それぞれ着信転送データベース４２、６２に接続されている。
【００２７】
固定電話機２０および構内交換機８０は、アナログ又はデジタル回線で固定電話網４０に接続される。固定電話網４０が含む着信転送サービス部４１は、固定電話加入者への着信を他の電話に転送するサービスを提供する。着信転送データベース４２は、固定電話加入者毎の着信転送の設定内容（転送の開始、停止および転送先電話番号）を記憶する。この設定内容は、着信転送サービス部４１により読み書きされる。
【００２８】
一方、携帯電話網６０は、固定電話網４０と接続され、複数の携帯電話用無線基地局７１、７２等を収容する。これら無線基地局７１、７２は、それぞれのサービスエリア（電波の届く範囲）内に存在する複数の携帯電話機５３、５４等との通信を行う。また、携帯電話網６０は、着信転送サービス部６１を含み、この着信転送サービス部６１は、携帯電話加入者への着信を他の電話に転送するサービスを提供する。着信転送データベース６２は、携帯電話加入者毎の着信転送の設定内容（転送の開始、停止および転送先電話番号）を記憶する。そして、この設定内容は、着信転送サービス部６１により読み書きされる。
【００２９】
以上、本発明による電話交換システム１０およびこれを使用する通信ネットワーク１１の構成を説明した。しかし、携帯電話機５１〜５４、固定電話網４０、携帯電話網６０、着信転送サービス部４１、６１、着信転送データベース４２、６２、無線基地局７１、７２および回線インタフェース部２３は、当業者にとってよく知られており、また本発明とは直接関係しないので、その詳細な構成は省略する。尚、上述した実施形態では、携帯電話機５１および５２と固定電話機２０および多機能電話機３０は、それぞれケーブルで直接接続しているが、充電台を経由してもよい。
【００３０】
次に、図１の固定電話機２０と携帯電話機５１の接続時および非接続時のＣＰＵ２１の動作を、それぞれ図４および図５のフローチャートを使用して説明する。
【００３１】
動作の説明に先立ち、図２に示す如く、転送設定記憶部２４ａの固定電話用転送開始電番記憶部２４１には「１４２０」が、固定電話用転送停止電番記憶部２４３には「１４２１１」が、携帯電話用転送開始電番記憶部２４５には「０９０３１０」が、携帯電話用転送開始特番記憶部２４６には「１４２１Ｐ０９０１１１１２２２２Ｐ４３２１」が、携帯電話用転送停止電番記憶部２４７には「０９０３１０」が、携帯電話用転送停止特番記憶部２４８には「１４２０Ｐ０９０１１１１２２２２Ｐ４３２１」が予め記憶されている。また、固定電話用転送開始特番記憶部２４２および固定電話用転送停止特番記憶部２４４には何も記憶されていないものとする。これら記憶内容は、利用者が契約している固定電話事業者および携帯電話事業者の番号計画に合わせた値を記憶する必要がある。
【００３２】
また、着信転送データベース４２には、固定電話網４０の提供する着信転送サービスの着信転送先電話番号として、携帯電話機５１の電話番号が予め設定・記憶されている。また、着信転送データベース６２には、携帯電話網６０の提供する着信転送サービスの着信転送先電話番号として、固定電話機２０の電話番号が予め設定・記憶されているものとする。
【００３３】
固定電話機２０の携帯電話接続検出部２２が携帯電話機５１の接続を検出すると、それをＣＰＵ２１に通知する。そこで、このＣＰＵ２１は、図４の処理を起動する。図４において、ＣＰＵ２１は、固定電話用転送停止電番記憶部２４３から「１４２１１」を読み出す（ステップＡ１）。次に、読み出したデータの有無をチェックする（ステップＡ２）。この特定例の場合には、「データ有」（ステップＡ２：Ｙ）となり、回線インタフェース部２３に「オフフック」を指示する（ステップＡ３）。
【００３４】
次に、回線インタフェース部２３に固定電話用転送停止電番「１４２１１」のダイヤルを指示し（ステップＡ４）、固定電話網４０の応答の有無を判断する（ステップＡ５）。応答なし（ステップＡ５：Ｎ）の場合には、応答を待つ。固定電話網４０が応答すると（ステップＡ５：Ｙ）、固定電話用転送停止特番記憶部２４４のデータを読み出す（ステップＡ６）。そして、読み出したデータの有無をチェックする（ステップＡ７）。「データ有」（ステップＡ７：Ｙ）の場合には、読み出した固定電話用転送停止特番をダイヤルする（ステップＡ８）。しかし、この例では「データ無」となり（ステップＡ７：Ｎ）、この処理は行われず、回線インタフェース部２３に「オンフック」を指示する（ステップＡ９）。このステップＡ１〜Ａ９の一連の処理により、固定電話網４０の着信転送サービスが停止される。
【００３５】
次に、携帯電話用転送開始電番記憶部２４５から「０９０３１０」を読み出す（ステップＡ１０）。次に、読み出したデータの有無をチェックする（ステップＡ１１）。この場合には、「データ有」となり（ステップＡ１１：Ｙ）、回線インタフェース部２３に「オフフック」を指示する（ステップＡ１２）。次に、回線インタフェース部２３に携帯電話用転送開始電番「０９０３１０」のダイヤルを指示する（ステップＡ１３）。そして、携帯電話網６０の応答の有無を判断する（ステップＡ１４）。応答なしの場合（ステップＡ１４：Ｎ）には、応答を待つ。
【００３６】
一方、携帯電話網６０が応答すると（ステップＡ１４：Ｙ）、携帯電話用転送開始特番記憶部２４６から「１４２１Ｐ０９０１１１１２２２２Ｐ４３２１」を読み出す（ステップＡ１５）。読み出したデータの有無をチェックする（ステップＡ１６）。「データ有」となると（ステップＡ１６：Ｙ）、回線インタフェース部２３に携帯電話用転送開始特番「１４２１Ｐ０９０１１１１２２２２Ｐ４３２１」のダイヤルを指示する（ステップＡ１７）。このダイヤル「１４２１」は、着信転送開始を意味し、「Ｐ」は一定時間、ダイヤル送出を停止する「ポーズ」を意味し、「０９０１１１１２２２２」は携帯電話機５１の電話番号を意味し、「４３２１」は暗証番号を意味する。
【００３７】
ダイヤル送出が完了すると、回線インタフェース部２３に「オンフック」を指示する（ステップＡ１８）。そして、処理を終了する（ステップＡ１９）。このステップＡ１０からＡ１８の一連の処理により、携帯電話網６０の着信転送サービスが開始され、携帯電話機５１への着信は、全て固定電話機２０に転送される。
【００３８】
一方、携帯電話接続検出部２２が携帯電話機５１の非接続を検出すると、それをＣＰＵ２１に通知する。そこで、ＣＰＵ２１は、図５の処理を起動する。図５において、ＣＰＵ２１は、固定電話用転送開始電番記憶部２４１から「１４２０」を読み出す（ステップＢ１）。次に、読み出したデータの有無をチェックする（ステップＢ２）。この場合には、「データ有」（ステップＢ２：Ｙ）となり、回線インタフェース部２３に「オフフック」を指示する（ステップＢ３）。
【００３９】
次に、回線インタフェース部２３に固定電話用転送開始電番「１４２０」のダイヤルを指示する（ステップＢ４）。そして、固定電話網４０の応答の有無を判断する（ステップＢ５）。応答がない場合（ステップＢ５：Ｎ）には、応答を待つ。固定電話網４０が応答すると（ステップＢ５：Ｙ）、固定電話用転送開始特番記憶部２４２のデータを読み出す（ステップＢ６）。そして、読み出したデータの有無をチェックする（ステップＢ７）。「データ有」（ステップＢ７：Ｙ）の場合には、読み出した固定電話用転送開始特番をダイヤルする（ステップＢ８）。この特定例では「データ無」となり（ステップＢ７：Ｎ）、この処理は行われず、回線インタフェース部２３に「オンフック」を指示する（ステップＢ９）。このステップＢ１〜Ｂ９の一連の処理により、固定電話網４０の着信転送サービスが開始され、固定電話機２０への着信は全て携帯電話機５１に転送される。
【００４０】
続いて、携帯電話用転送停止電番記憶部２４７から「０９０３１０」を読み出す（ステップＢ１０）。この読み出したデータの有無をチェックする（ステップＢ１１）。この場合には、「データ有」（ステップＢ１１：Ｙ）となり、回線インタフェース部２３に「オフフック」を指示する（ステップＢ１２）。
【００４１】
次に、回線インタフェース部２３に携帯電話用転送停止電番「０９０３１０」のダイヤルを指示する（ステップＢ１３）。そして、携帯電話網６０の応答の有無を判断する（ステップＢ１４）。応答がない場合（ステップＢ１４：Ｎ）には、応答を待つ。一方、携帯電話網６０が応答すると（ステップＢ１４：Ｙ）、携帯電話用転送停止特番記憶部２４８から「１４２０Ｐ０９０１１１１２２２２Ｐ４３２１」を読み出す（ステップＢ１５）。そして、読み出したデータの有無をチェックする（ステップＢ１６）。この場合には、「データ有」（ステップＢ１６：Ｙ）となり、回線インタフェース部２３に携帯電話用転送停止特番「１４２０Ｐ０９０１１１１２２２２Ｐ４３２１」のダイヤルを指示する（ステップＢ１７）。
【００４２】
ここで、ダイヤル「１４２０」は着信転送停止を意味し、「Ｐ」は一定時間ダイヤル送出を停止する「ポーズ」を意味し、「０９０１１１１２２２２」は携帯電話機５１の電話番号を意味し、「４３２１」は暗証番号を意味する。ダイヤル送出が完了すると、回線インタフェース部２３に「オンフック」を指示し（ステップＢ１８）、処理を終了する（ステップＢ１９）。このステップＢ１０〜Ｂ１８の一連の処理により、携帯電話網６０の着信転送サービスが停止される。
【００４３】
次に、図６を参照して、本発明による電話交換システムの第２実施形態を説明する。この第２実施形態の電話交換システム１２は、図３中の固定電話機２０および携帯電話機５１の代わりに構内交換機８０およびそれに接続された多機能電話機３０と携帯電話機５２の場合である。基本構成は、図１を参照して上述した第１実施形態の構成と同様であるので、相違点を中心に以下に説明する。
【００４４】
図３中には、多機能電話機３０、これに接続された携帯電話機５２、構内交換機８０および固定電話網４０を示す。図３において、多機能電話機３０は、多機能電話機３０の全ての制御を行うＣＰＵ３１、携帯電話接続検出部３２および構内交換機８０にボタン押下情報等を送信、構内交換機８０からのランプ点灯消灯等の情報、表示器への表示情報等を受信、音声信号を送受信する構内交換機インタフェース部３３を含んでいる。また、構内交換機８０は、構内交換機８０の全ての制御を行うＣＰＵ８１、回線インタフェース部８３、転送設定記憶部８４ａを含むメモリ８４および多機能電話機インタフェース部８５を有する。
【００４５】
携帯電話接続検出部３２は、携帯電話機５２の接続又は非接続を検出すると、ＣＰＵ３１、構内交換機インタフェース部３３および多機能電話機インタフェース部８５を介してＣＰＵ８１に通知する。第１実施形態における固定電話機２０の構成要素が構内交換機８０および多機能電話機３０に分散された以外は、固定電話機２０と同一である。従って、これらの機能および動作に関する詳細説明は省略する。
【００４６】
以上、本発明による電話交換システムの好適実施形態の構成および動作を詳述した。しかし、これら実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００４７】
【発明の効果】
以上の説明から理解される如く、本発明の電話交換システムによると、以下の如き実用上の顕著な効果を奏する。第１に、携帯電話機５１が固定電話機２０に接続された状態では、携帯電話機５１への着信が固定電話機２１に転送されるので、例え携帯電話機５１が携帯電話サービスエリア外（圏外）であっても、着信を逃さず受信することが可能である。
【００４８】
第２に、携帯電話機５１が固定電話機２０に接続されていない状態では、固定電話機２０への着信が携帯電話機５１に転送されるので、外出中であっても固定電話２０への着信を逃さず受信することが可能である。
【００４９】
第３に、これらの携帯電話網６０および固定電話網４０の２つの転送開始および停止の設定は携帯電話機５１と固定電話機２０との接続又は非接続時に自動的に行われるので、設定作業の大幅な簡略化が可能である。
【００５０】
第４に、携帯電話機および固定電話機共に既存の電話網４０、６０が提供する着信転送サービスを利用しているので、これらの電話網側に特別な設備が不要であると共に、利用者側の設備（固定電話機および構内交換機）のコストアップを最小限に抑えることが可能である。
【図面の簡単な説明】
【図１】本発明による電話交換システムの第１実施形態の構成図である。
【図２】図１中の固定電話機のメモリに内蔵される転送設定記憶部の詳細構成図である。
【図３】本発明による電話交換システムを採用する通信ネットワークの全体システム図である。
【図４】本発明による電話交換システムにおける携帯電話機接続時の動作を示すフローチャートである。
【図５】本発明による電話交換システムにおける携帯電話機非接続時の動作を説明するフローチャートである。
【図６】本発明による電話交換システムの第２実施形態の構成図である。
【符号の説明】
１０、１２　電話交換システム
１１　　　通信ネットワーク
２０　　固定電話機
２１、３１、８１　ＣＰＵ（制御装置）
２２、３２　携帯電話接続検出部
２３、８３　回線インタフェース部
２４、８４　メモリ（記憶装置）
２４ａ、８４ａ　転送設定記憶部
３０　多機能電話機（固定電話機）
４０　固定電話網
４１、６１　着信転送サービス部
４２、６２　着信転送データベース
５１〜５４　携帯電話機
６０　携帯電話網
７１、７２　無線基地局
８０　構内交換機
【図１】
2004032356.tif 000003
【図２】
2004032356.tif 000004
【図３】
2004032356.tif 000005
【図４】
2004032356.tif 000006
【図５】
2004032356.tif 000007
【図６】
2004032356.tif 000008